(57)【要約】【課題】シュラウドを強固に抜け止め保持することができ、また、シュラウドの取り付け作業も行いやすい、新たなトリガー式液体噴出器を提供する。【解決手段】本発明のトリガー式液体噴出器１において、本体部３は、容器Ｃの口部に取り付けられる装着キャップ２を回転自在に保持する連結筒３０ａと、連結筒３０ａに連結する頂壁３０ｃとを備えるとともに、本体部３０ａの両側方に、連結筒３０ａの外周面から突出する一対の外向き突起３０ａ１と、頂壁３０ｃから起立する一対の板状壁３０ｃ１とを備えるものであり、シュラウド８の両側壁に、板状壁３０ｃ１に連係してシュラウド８のスライド移動を案内するガイドリブ８ｄと、外向き突起３０ａ１に係合してシュラウド８を抜け止め保持する内向き突起８ｆとを設けることを特徴とする。【選択図】図１
2015047550.tif 000002
【特許請求の範囲】
【請求項１】
容器内の内容液を吸引、加圧、圧送するポンプを備える本体部と、該本体部に揺動可能に支持されて牽曳を繰り返すことで該ポンプを駆動させる操作レバーと、該本体部の前方に設けられ加圧された内容液を外界に向けて噴出させるノズルと、該操作レバー及びノズルを残して該本体部を覆い隠すシュラウドとを備えるトリガー式液体噴出器であって、
前記本体部は、容器の口部に取り付けられる装着キャップを回転自在に保持する連結筒と、該連結筒に連結する頂壁とを備えるとともに、該本体部の両側方に、該連結筒の外周面から突出する一対の外向き突起と、該頂壁から起立する一対の板状壁とを備え、
前記シュラウドの両側壁に、前記板状壁に連係して該シュラウドのスライド移動を案内するガイドリブと、前記外向き突起に係合して該シュラウドを抜け止め保持する内向き突起とを設けてなるトリガー式液体噴出器。
【請求項２】
前記シュラウドの両側壁に、前記板状壁に向けて突出する凸部を備える請求項１に記載のトリガー式液体噴出器。
【請求項３】
前記外向き突起及び内向き突起の少なくとも一方に、前記シュラウドのスライド移動に伴い外向き突起に対する内向き突起の乗り越えを誘導する傾斜面を備える請求項１又は２に記載のトリガー式液体噴出器。
【発明の詳細な説明】
【技術分野】
【０００１】
本発明は、トリガー式液体噴出器に関するものであり、特に、噴出器の大部分を覆い隠すシュラウドと、このシュラウドを保持する本体部に関する。
【背景技術】
【０００２】
黴取り剤や洗剤、衣料用糊剤、住居用ワックス、整髪剤、芳香剤等の内容液を入れた容器においては、容器の口部に装着され、操作レバーを牽曳することによって本体部に設けたポンプを駆動して容器内の液体を直線状、霧状あるいは泡状にして噴射させるトリガー式液体噴出器が多用されており（例えば特許文献１参照）、これにより内容液の効率的な供給を可能にしている。
【０００３】
かかる噴出器は、特許文献１の図１、図２に示されているように、操作レバーやノズルを残して噴出器の全体を覆うシュラウド（特許文献１ではカバー）を備えていて、これを本体部（特許文献１では噴出器本体）に装着することで美観を高めている。
【先行技術文献】
【特許文献】
【０００４】
【特許文献１】特開平１１−２９０７３１号公報
【発明の概要】
【発明が解決しようとする課題】
【０００５】
ところで特許文献１の噴出器におけるシュラウドは、その側壁内面の上方に設けたガイドリブを本体部に連係させて後方から前方に向かうスライド移動を許容する一方、本体部の下部後方に設けた爪部をシュラウドの底壁内面に係合させることで抜け止め保持されるが、ガイドリブに対して爪部の位置が離れているため、成形等のばらつきによっては相互間の寸法が大きく変ってしまい、シュラウドの外れにつながるおそれがある。このため、爪部の係合代を比較的大きくしておく必要があった。また、爪部が容易に変形してしまわないよう、補強リブを設けたり肉厚を厚くしたりして剛性を高めておく必要もあった。
【０００６】
本発明は、このような問題点を解決することを課題とするものであり、その目的は、従来のように高い剛性を備える爪部を用いなくてもシュラウドを強固に抜け止め保持することができ、また、シュラウドの取り付け作業も行いやすい、新たなトリガー式液体噴出器を提案するところにある。
【課題を解決するための手段】
【０００７】
本発明は、容器内の内容液を吸引、加圧、圧送するポンプを備える本体部と、該本体部に揺動可能に支持されて牽曳を繰り返すことで該ポンプを駆動させる操作レバーと、該本体部の前方に設けられ加圧された内容液を外界に向けて噴出させるノズルと、該操作レバー及びノズルを残して該本体部を覆い隠すシュラウドとを備えるトリガー式液体噴出器であって、
前記本体部は、容器の口部に取り付けられる装着キャップを回転自在に保持する連結筒と、該連結筒の上部を塞ぐ頂壁とを備えるとともに、該本体部の両側方に、該連結筒の外周面から突出する一対の外向き突起と、該頂壁から起立する一対の板状壁とを備え、
前記シュラウドの両側壁に、前記板状壁に連係して該シュラウドのスライド移動を案内するガイドリブと、前記外向き突起に係合して該シュラウドを抜け止め保持する内向き突起とを設けてなるトリガー式液体噴出器である。
【０００８】
前記シュラウドの両側壁に、前記板状壁に向けて突出する凸部を備えることが好ましい。
【０００９】
前記外向き突起及び内向き突起の少なくとも一方に、前記シュラウドのスライド移動に伴う外向き突起に対する内向き突起の乗り越えを誘導する傾斜面を備えることが好ましい。
【発明の効果】
【００１０】
本発明のトリガー式液体噴出器は、シュラウドのガイドリブを本体部の頂壁に形成した板状壁に連係させているので、シュラウドをスライド移動させることができるため、簡単に取り付けることができる。また、シュラウドの内向き突起に係合する外向き突起を、頂壁につながる連結筒に設けることで、シュラウドのスライド移動を案内する部位とシュラウドを抜け止め保持する部位とが近接することになるので、内向き突起と外向き突起とが離れにくくなり、シュラウドを強固に抜け止め保持することができる。更に、外向き突起及び内向き突起のそれぞれは、本体部及びシュラウドの両側方にそれぞれ設けられていて、シュラウドは左右２箇所で係合されるので、シュラウドの抜け止めをより強固にすることができる。
【００１１】
シュラウドの両側壁に、板状壁に向けて突出する凸部を設ける場合は、シュラウドの側壁が内側へ倒れ込む不具合を防止できるので、良好な美観を呈することができる。
【００１２】
外向き突起及び内向き突起の少なくとも一方に、シュラウドのスライド移動に伴い外向き突起に対する内向き突起の乗り越えを誘導する傾斜面を設ける場合は、シュラウドをスライド移動させるにあたって、内向き突起が外向き突起を乗り越える際に要する力が小さくなるので、取り付け作業が更に簡単になる。
【図面の簡単な説明】
【００１３】
【図１】本発明に従うトリガー式液体噴出器の一実施形態を示す、側面視での断面図である。
【図２】図１に示す本体部（ボディ）とシュラウドの組み付け状態を説明する正面図である。
【図３】図１に示す本体部（ボディ）に関し、（ａ）は側面図であり、（ｂ）は背面図である。
【図４】図３に示す本体部（ボディ）の平面図である。
【図５】図１に示すシュラウドに関し、（ａ）は正面図であり、（ｂ）は側面図である。
【図６】図５に示すシュラウドの下面図である。
【発明を実施するための形態】
【００１４】
以下、図面を参照して、本発明をより具体的に説明する。なお、本願明細書、特許請求の範囲、要約書、及び図面では、後述するシュラウドの上壁が位置する側を上方（図１における上側）とし、装着キャップが設けられる側を下方（図１における下側）とする。また、ノズルが設けられる側を前方（図１における左側）とし、その反対側を後方（図１における右側）とする。また、上下方向及び前後方向に対して直交する方向（図１における紙面に垂直な方向）を側方（左右方向）とする。
【００１５】
図１における符号１は、トリガー式液体噴出器の一実施形態を示す。トリガー式液体噴出器１は、容器Ｃの口部に取り付けられる装着キャップ２と、装着キャップ２を回転自在且つ抜け出し不能に保持するとともに、容器Ｃ内の内容液を吸引、加圧、圧送するポンプを備える本体部３と、本体部３に連結するとともに容器Ｃの底部に向けて延び、ポンプの駆動にて容器Ｃ内の内容液を吸い上げるパイプ４と、本体部３の前方に設けられ、内容液を外界に向けて噴出させるノズル５と、本体部３に揺動可能に保持され、牽曳を繰り返すことでポンプを駆動させる操作レバー６と、操作レバー６に復元力を付与するバネ部材７と、本体部３を覆い隠すシュラウド８とを備えている。
【００１６】
装着キャップ２は、円筒状となる側壁２ａの内面に、容器Ｃの口部に設けたねじ部に適合するねじ部２ｂを有している。また、側壁２ａの上方には、中央部に上部開口２ｃを有する天壁２ｄが設けられていて、天壁２ｄにおける上部開口２ｃの縁部には、径方向内側に向かって下向きに傾斜する天壁テーパ部２ｅが設けられている。
【００１７】
本実施形態において本体部３は、複数の部材から構成されていて、装着キャップ２は、その一つをなすボディ３０に取り付けられる。ボディ３０の下方には、上部開口２ｃに挿通される円筒状の連結筒３０ａが設けられていて、連結筒３０ａの外周面には、径方向外側に延在するフランジ３０ｂが設けられている。また、フランジ３０ｂの外縁部上面には、径方向外側に向かって下向きに傾斜するフランジテーパ部３０ｂ１が設けられている。ボディ３０に取り付けられた装着キャップ２は、フランジテーパ部３０ｂ１に当接して抜け止めされるとともに連結筒３０ａに対して回転自在に保持されるため、装着キャップ２のみを回転させることで、ボディ３０を容器Ｃに取り付けることができる。
【００１８】
更に連結筒３０ａについて、図３〜図４を参照して詳細に説明する。連結筒３０ａの両側方には、連結筒３０ａの外周面から突出するとともに上下方向に延びる一対の外向き突起３０ａ１が設けられている。図４に示すように外向き突起３０ａ１の後方には、傾斜面３０ａ２が設けられている。また、連結筒３０ａの上縁には径方向内側に延在する頂壁３０ｃが設けられていて、頂壁３０ｃの両側方には、上方に向けて起立する一対の板状壁３０ｃ１が設けられている。
【００１９】
そして、図１に示すように頂壁３０ｃの上方には、連結筒３０ａに対して後方に偏心するとともに連結筒３０ａよりも小径となる縦筒３０ｄが設けられていて、縦筒３０ｄの上方には、前方に向けて延在する横筒３０ｅが設けられている。ここで縦筒３０ｄの内部と横筒３０ｅの内部通路とは、穴Ｈａを介してつながっている。また横筒３０ｅの前方側には、上方及び側方に延在する板状壁３０ｆが設けられ、板状壁３０ｆには、前方に向けて突出する円柱部３０ｇ、及び円柱部３０ｇの径方向外側に位置する円筒部３０ｈが設けられている。また、横筒３０ｅの両側方には、隙間をあけて横筒３０ｅを間に挟む一対のサイド壁３０ｉが設けられている。対をなすサイド壁３０ｉ同士は、本実施形態では総計二つの補強リブ３０ｊでつながっている。なお、詳細は後述するが、サイド壁３０ｉの下端３０ｉ１（図３（ａ）、（ｂ）参照）は、組み立てた際にシュラウド８に連係するように構成されている。また、サイド壁３０ｉには、側面視にてＵ字状をなす上方開放の溝部３０ｋが設けられている。そして、横筒３０ｅの下方には、縦筒３０ｄから前方に向けて突出する円筒状の嵌合壁３０ｍが設けられていて、嵌合壁３０ｍの径方向内側には、円筒状をなすとともに縦筒３０ｄからの突出量が嵌合壁３０ｍよりも少なくなるように形成され、またその先端部が後述する吐出弁体と当接する吐出弁座３０ｎが設けられている。また、嵌合壁３０ｍと吐出弁座３０ｎとの相互間には、縦筒３０ｄを貫く穴Ｈｂが設けられ、吐出弁座３０ｎの内側には、縦筒３０ｄを貫く穴Ｈｃが設けられている。更に、嵌合壁３０ｍには、その内外を連通させる穴Ｈｄが設けられている。
【００２０】
また、縦筒３０ｄ内には、円筒状のインテイク３１が設けられている。インテイク３１の下方には、径方向外側に延在するフランジ３１ａが設けられていて、フランジ３１ａには、嵌合壁３０ｍに設けた穴Ｈｄに連通する穴Ｈｅが設けられている。また、インテイク３１の下端には、前述のパイプ４が嵌合保持されている。更にインテイク３１の内部通路の中間部には、その内部通路を上部及び下部に区画する隔壁３１ｂが設けられている。そして隔壁３１ｂの下方には、穴Ｈｃに連通する穴Ｈｆが設けられ、隔壁３１ｂの上方には、穴Ｈｂに連通する穴Ｈｇが設けられている。更にインテイク３１の上方には、段状に形成されて後述する吸い上げ弁体と当接する吸い上げ弁座３１ｃが設けられ、更に吸い上げ弁座３１ｃの上方には、穴Ｈａに連通する穴Ｈｈが設けられている。
【００２１】
そして、インテイク３１の上方には、吸い上げ弁３２が設けられている。吸い上げ弁３２は、吸い上げ弁座３１ｃに着座する平板状の吸い上げ弁体３２ａと、側面視にて環状をなし、吸い上げ弁体３２ａに対して常時下方へ向かう付勢力を作用させる弾性部３２ｂを備えている。
【００２２】
また、嵌合壁３０ｍの内側には、シリンダー部材３３が設けられている。シリンダー部材３３は、嵌合壁３０ｍに嵌合保持される円筒状のシリンダー筒３３ａと、シリンダー筒３３ａの径方向内側に設けられる円筒状の区画筒３３ｂとを同心二重配置で設けたものであり、シリンダー筒３３ａと区画筒３３ｂとの後方側は、奥壁３３ｃでつながっている。奥壁３３ｃには、縦筒３０ｄに設けた穴Ｈｂに入り込むとともにインテイク３１の穴Ｈｇに連通する穴Ｈｉが設けられている。そして区画筒３３ｂの内側には、半球状をなすとともに吐出弁座３０ｎに着座する吐出弁体３３ｄと、螺旋状に延在して区画筒３３ｂと吐出弁体３３ｄとを相互に連結し且つ吐出弁体３３ｄに対して常時後方へ向かう付勢力を作用する弾性部３３ｅとが設けられていて、吐出弁体３３ｄ及び弾性部３３ｅによって吐出弁を構成している。更に、シリンダー筒３３ａには、シリンダー筒３３ａの内外を連通させるとともに、嵌合壁３０ｍとシリンダー筒３３ａとの間に形成される隙間を介して嵌合壁３０ｍの穴Ｈｄに連通する外気導入口Ｈｊが設けられている。
【００２３】
シリンダー部材３３の内側には、ピストン３４が設けられている。ピストン３４は、シリンダー筒３３ａの内周面に摺動可能に当接する環状の摺動部３４ａを有していて、摺動部３４ａには、前方に向けて延在するとともに前方側の端部を閉塞した周壁部３４ｂが設けられている。また、周壁部３４ｂの前方側端部には、前述の操作レバー６に係合する係合穴３４ｃが設けられている。なお、摺動部３４ａは、操作レバー６が牽曳されていない状態において、シリンダー部材３３の外気導入口Ｈｊを塞ぐ位置に設けられている。
【００２４】
このように本実施形態では、ボディ３０、インテイク３１、吸い上げ弁３２、シリンダー部材３３、ピストン３４によって、ポンプ機能を有する本体部３を構成している。
【００２５】
ノズル５は、ボディ３０に設けた円柱部３０ｇの前方側に配される縦壁５ａを有していて、縦壁５ａには、円柱部３０ｇを取り囲んで後方へ向けて延在する内側筒状壁５ｂと、内側筒状壁５ｂの径方向外側にて円筒部３０ｈの内周面に当接する外側筒状壁５ｃが設けられている。これによりノズル５は、円柱部３０ｇを中心に回動可能に保持される。なお、ノズル５はボディ３０に対して抜け止め保持（例えば板状壁３０ｆに爪部を設け、これに係合する爪部をノズル５に設ける）されている。ここで、内側筒状壁５ｂの内側には、縦壁５ａを貫く貫通穴５ｄが設けられていて、円柱部３０ｇの外周面と内側筒状壁５ｂの内周面には、それぞれ前後方向に延在する溝が設けられている。これにより、ノズル５を回転させて相互の溝が合わさることで、横筒３０ｅの内部通路と貫通穴５ｄとが連通して内容液の噴出が可能となる一方、これらの溝がずれている時は、横筒３０ｅの内部通路と貫通穴５ｄとは非連通となって、内容液の噴出を阻止することができる。また、外側筒状壁５ｃの径方向外側には、横断面形状が矩形状となる外壁５ｅが設けられていて、更に外壁５ｅの前方側には、ヒンジ５ｆを介して一体に連結するとともに、内容液を外界に向けて噴出させる噴出口５ｇを形成した衝突壁５ｈが設けられている。なお、内容液を噴出させる際には、衝突壁５ｈはヒンジ５ｆにて折り曲げられて（折曲げられた衝突壁５ｈは外壁５ｅに係合保持される）、噴出口５ｇが貫通穴５ｄの前方に位置するようにしている。
【００２６】
操作レバー６は、前壁６ａ、及び前壁６ａの両側方に設けられる一対の側壁６ｂを有するものであり、各側壁６ｂの上方には、ボディ３０の溝部３０ｋに揺動可能に連係する円柱状の枢支軸６ｃが設けられている。また、操作レバー６の中間部には、前壁６ａを貫通するとともにピストン３４との干渉を避ける逃がし穴６ｄが設けられていて、逃がし穴６ｄの側方には、係合穴３４ｃに連係する円柱状の凸部６ｅが設けられている。
【００２７】
バネ部材７は、操作レバー６の後方において、ボディ３０の横筒３０ｅと嵌合壁３０ｍとの間で保持され、前方へ向けて伸延しつつ湾曲しながら下方に向けて延在する形態をなすものであり、操作レバー６に対して常時前方へ向かう付勢力を付与している。
【００２８】
シュラウド８は、上方に設けられた上壁８ａ、及び上壁８ａの側方から下方に向けて延在する一対の側壁８ｂを備えていて、側壁８ｂの後方下端には底壁８ｃが設けられている。また、図５（ａ）、（ｂ）及び図６に示すように両側壁８ｂの内面には、その下方において前後方向に延在する横壁８ｄ１と、横壁８ｄ１の内側端縁より下方に向けて伸延する縦壁８ｄ２とで構成され、横断面形状がＬ字状となるガイドリブ８ｄが設けられている。また、横壁８ｄ１の下方には、前後方向に延在する凸部８ｅが設けられている。更に、凸部８ｅの下方には、上下方向に延在する内向き突起８ｆが設けられている。また、両側壁８ｂの上方には、その内面から内方に向けて突出するとともに前後方向に延在する上部横壁８ｇ１と、上部横壁８ｇ１の内側端縁より上方に向けて伸延する上部縦壁８ｇ２とで構成される上部ガイドリブ８ｇが設けられている。
【００２９】
上記のような構成となるトリガー式液体噴出器１によれば、操作レバー６の牽曳によってピストン３４が後方に押し込まれることで、シリンダー部材３３内の内容液は、穴Ｈｉ及び穴Ｈｇを通ってインテイク３１の上部側の内部通路内に圧入され、吸い上げ弁体３２ａを押し上げて穴Ｈｈ、穴Ｈａ、及び横筒３０ｅの内部通路を通り、貫通穴５ｄを介して噴出口５ｇから噴出される。
【００３０】
次いで操作レバー６の牽曳を停止し、バネ部材７の付勢力で操作レバー６が元の位置に戻ることでピストン３４も前方に移動し、シリンダー部材３３内が負圧化される。これによって容器Ｃ内の内容液が、パイプ４を介してインテイク３１の下部側の内部通路内に導入され、穴Ｈｆ及び穴Ｈｃを通り、吐出弁座３０ｎから離反した吐出弁体３３ｄ及び螺旋状となる弾性部３３ｅ間の隙間を介してシリンダー部材３３内に導入される。なお、ピストン３４が元の位置に戻るまでは、シリンダー部材３３に設けられた外気導入口Ｈｊが開口しているので、外気を、外気導入口Ｈｊ、嵌合壁３０ｍとシリンダー筒３３ａとの間に形成される隙間、嵌合壁３０ｍの穴Ｈｄ、及びインテイク３１の穴Ｈｅを介して容器Ｃ内に取り込むことができる。このため、噴出に従って容器Ｃ内の内容液が減少しても、外気が容器Ｃ内に取り込まれるので、負圧によって容器Ｃが変形することはない。
【００３１】
次に、図１、図２を参照しつつ、シュラウド８の取り付け方法について説明する。なお、図２では説明上、ボディ３０とシュラウド８のみを示している。シュラウド８をボディ３０に取り付けるに当たっては、板状壁３０ｃ１にガイドリブ８ｄを連係させ、サイド壁３０ｉの下端３０ｉ１に上部ガイドリブ８ｇを連係させて、ボディ３０の後方から前方に向かってシュラウド８をスライド移動させる。そして、内向き突起８ｆが外向き突起３０ａ１を乗り越えることで、シュラウド８はボディ３０に抜け止めされる。ここで、板状壁３０ｃ１及びガイドリブ８ｄと、内向き突起８ｆ及び外向き突起３０ａ１とは近接して設けられていて、内向き突起８ｆと外向き突起３０ａ１とは相互に離れにくくなっているため、シュラウド８はボディ３０に対して強固に保持される。また、板状壁３０ｃ１及びガイドリブ８ｄ、並びに内向き突起８ｆ及び外向き突起３０ａ１は両側方に一対設けられていて、シュラウド８は左右２箇所で係合されるので、より強固に保持することができる。更に、図４に示すように本実施形態では、外向き突起３０ａ１に傾斜面３０ａ２を設けているので、内向き突起８ｆが外向き突起３０ａ１を乗り越える際に要する力が小さくなって、シュラウド８の取り付け作業がより行いやすくなる。なお傾斜面は、内向き突起８ｆの前方側に設けることも可能である。
【００３２】
また、本実施形態においては、図２に示すようにシュラウド８の側壁８ｂに形成した凸部８ｅは、板状壁３０ｃ１に対応する位置に設けられているので、側壁８ｂが内側への倒れ込む不具合を防止することができる。
【００３３】
なお、本発明に従うトリガー式液体噴出器の内部構造は、本実施形態のものに限られず、通常使用される他の構造を用いることができる。
【産業上の利用可能性】
【００３４】
本発明によれば、シュラウドを強固に抜け止め保持することができる上、従来のように高い剛性を備える爪部を用いる必要がないため構造を簡素化することができ、またシュラウドの取り付けも簡単に行うことができる新規のトリガー式液体噴出器を提供することができる。
【符号の説明】
【００３５】
１  トリガー式液体噴出器
２  装着キャップ
２ａ  側壁
２ｂ  ねじ部
２ｃ  上部開口
２ｄ  天壁
２ｅ  天壁テーパ部
３  本体部
４  パイプ
５  ノズル
５ａ  縦壁
５ｂ  内側筒状壁
５ｃ  外側筒状壁
５ｄ  貫通穴
５ｅ  外壁
５ｆ  ヒンジ
５ｇ  噴出口
５ｈ  衝突壁
６  操作レバー
６ａ  前壁
６ｂ  側壁
６ｃ  枢支軸
６ｄ  逃がし穴
６ｅ  凸部
７  バネ部材
８  シュラウド
８ａ  上壁
８ｂ  側壁
８ｃ  底壁
８ｄ  ガイドリブ
８ｄ１  横壁
８ｄ２  縦壁
８ｅ  凸部
８ｆ  内向き突起
８ｇ  上部ガイドリブ
８ｇ１  上部横壁
８ｇ２  上部縦壁
３０  ボディ
３０ａ  連結筒
３０ａ１  外向き突起
３０ａ２  傾斜面
３０ｂ  フランジ
３０ｂ１  フランジテーパ部
３０ｃ  頂壁
３０ｃ１  板状壁
３０ｄ  縦筒
３０ｅ  横筒
３０ｆ  板状壁
３０ｇ  円柱部
３０ｈ  円筒部
３０ｉ  サイド壁
３０ｉ１  サイド壁の下端
３０ｊ  補強リブ
３０ｋ  溝部
３０ｍ  嵌合壁
３０ｎ  吐出弁座
３１  インテイク
３１ａ  フランジ
３１ｂ  隔壁
３１ｃ  吸い上げ弁座
３２  吸い上げ弁
３２ａ  吸い上げ弁体
３２ｂ  弾性部
３３  シリンダー部材
３３ａ  シリンダー筒
３３ｂ  区画筒
３３ｃ  奥壁
３３ｄ  吐出弁体
３３ｅ  弾性部
３３  シリンダー部材
３４  ピストン
３４ａ  摺動部
３４ｂ  周壁部
３４ｃ  係合穴
Ｃ  容器
Ｈａ〜Ｈｉ  穴
Ｈｊ  外気導入口
【図１】
2015047550.tif 000003
【図２】
2015047550.tif 000004
【図３】
2015047550.tif 000005
【図４】
2015047550.tif 000006
【図５】
2015047550.tif 000007
【図６】
2015047550.tif 000008